(57)【要約】【課題】信号が目標ＢＬＥＲを確保できる最小限の電力で過不足無く届くように、送信電力制御対象端末の送信電力を制御する。【解決手段】第２の目標ＳＩＲ制御部１１５は、目標ＳＩＲ記憶部１１６が記憶する目標ＳＩＲを、ＣＲＣ検出部１０６が誤りを検出しなかったときにＳＩＲ測定部１０４が測定した受信ＳＩＲに書き換える。次に、比較部１１７は、ＳＩＲ測定手段１０４が測定した受信ＳＩＲが、目標ＳＩＲ記憶部１１６が記憶する目標ＳＩＲより高い場合は、送信電力を上げる命令を示すＴＰＣコマンドを生成し、また、比較部１１７は、ＳＩＲ測定手段１０４が測定した受信ＳＩＲが、目標ＳＩＲ記憶部１１６が記憶する目標ＳＩＲより低い場合は、送信電力を下げる命令を示すＴＰＣコマンドを生成し、送信部１１８は、比較部１１７が生成したＴＰＣコマンドを移動局装置２００に送信する。【選択図】図１
2010263371.tif 000002
【特許請求の範囲】
【請求項１】
送信電力制御対象端末の送信電力を制御する送信電力制御装置であって、
前記送信電力制御対象端末の信号対干渉比の目標値を示す目標信号対干渉比を記憶する記憶手段と、
前記送信電力制御対象端末から信号を受信する受信手段と、
前記受信手段が受信した信号の誤り検出を受信毎に行う誤り検出手段と、
前記受信手段が受信した信号の信号対干渉比を受信毎に測定する信号対干渉比測定手段と、
前記目標信号対干渉比記憶手段が記憶する目標信号対干渉比を、前記誤り検出手段が誤りを検出しなかったときに前記信号対干渉比測定手段が測定した信号対干渉比に書き換える第１の目標信号対干渉比設定手段と、
前記信号対干渉比測定手段が測定した信号対干渉比が、前記目標信号対干渉比記憶手段が記憶する目標信号対干渉比より高い場合は、送信電力を上げる命令を示す送信電力制御コマンドを生成し、前記信号対干渉比測定手段が測定した信号対干渉比が、前記目標信号対干渉比記憶手段が記憶する目標信号対干渉比より低い場合は、送信電力を下げる命令を示す送信電力制御コマンドを生成する送信電力制御コマンド生成手段と、
前記送信電力制御コマンド生成手段が生成した前記送信電力制御コマンドを前記送信電力制御対象端末に送信する送信手段と、
を備えることを特徴とする送信電力制御装置。
【請求項２】
前記誤り検出手段が誤りを検出した場合に前記記憶手段が記憶する目標信号対干渉比の値を増加させ、前記誤り検出手段が誤りを検出しなかった場合に前記記憶手段が記憶する目標信号対干渉比の値を減少させる第２の目標信号対干渉比設定手段を備え、
前記第１の目標信号対干渉比設定手段は、前記第２の目標信号対干渉比設定手段が前記目標信号対干渉比を増加させた時刻から所定の信号対干渉比測定時間の間に前記受信手段が受信した信号に対して前記誤り検出手段が誤りを検出しなかった場合に、前記目標信号対干渉比記憶手段が記憶する目標信号対干渉比を前記信号対干渉比測定手段が測定した信号対干渉比に書き換える、
ことを特徴とする請求項１に記載の送信電力制御装置。
【請求項３】
前記信号対干渉比測定時間は、信号の伝播環境を示すパラメータに基づいて決定されることを特徴とする請求項２に記載の送信電力制御装置。
【請求項４】
前記伝播環境を示すパラメータは、前記受信手段が受信した信号の遅延スプレッドであることを特徴とする請求項３に記載の送信電力制御装置。
【請求項５】
前記第１の目標信号対干渉比設定手段は、
前記目標信号対干渉比記憶手段が記憶する目標信号対干渉比を、前記第２の目標信号対干渉比設定手段が前記目標信号対干渉比を増加させた時刻から所定の信号対干渉比平均測定時間の間に前記信号対干渉比測定手段が測定した信号対干渉比の平均値に書き換える、
ことを特徴とする請求項２から請求項４の何れか１項に記載の送信電力制御装置。
【請求項６】
前記所定の信号対干渉比平均測定時間の間に前記信号対干渉比測定手段が測定した信号対干渉比の平均値は、誤り検出手段が誤りを検出した直後に前記信号対干渉比測定手段が測定した信号対干渉比を含めないで算出する、
ことを特徴とする請求項５に記載の送信電力制御装置。
【請求項７】
送信電力制御対象端末の信号対干渉比の目標値を示す目標信号対干渉比を記憶する記憶手段を備え、前記送信電力制御対象端末の送信電力を制御する送信電力制御装置を用いた送信電力制御方法であって、
受信手段は、前記送信電力制御対象端末から信号を受信し、
誤り検出手段は、前記受信手段が受信した信号の誤り検出を受信毎に行い、
信号対干渉比測定手段は、前記受信手段が受信した信号の信号対干渉比を受信毎に測定し、
第１の目標信号対干渉比設定手段は、前記目標信号対干渉比記憶手段が記憶する目標信号対干渉比を、前記誤り検出手段が誤りを検出しなかったときに前記信号対干渉比測定手段が測定した信号対干渉比に書き換え、
送信電力制御コマンド生成手段は、前記信号対干渉比測定手段が測定した信号対干渉比が、前記目標信号対干渉比記憶手段が記憶する目標信号対干渉比より高い場合は、送信電力を上げる命令を示す送信電力制御コマンドを生成し、また、送信電力制御コマンド生成手段は、前記信号対干渉比測定手段が測定した信号対干渉比が、前記目標信号対干渉比記憶手段が記憶する目標信号対干渉比より低い場合は、送信電力を下げる命令を示す送信電力制御コマンドを生成し、
送信手段は、前記送信電力制御コマンド生成手段が生成した前記送信電力制御コマンドを前記送信電力制御対象端末に送信する、
ことを特徴とする送信電力制御方法。
【請求項８】
前記送信電力制御対象端末の信号対干渉比の目標値を示す目標信号対干渉比を記憶する記憶手段を備え、送信電力制御対象端末の送信電力を制御する送信電力制御装置を、
前記送信電力制御対象端末から信号を受信する受信手段、
前記受信手段が受信した信号の誤り検出を受信毎に行う誤り検出手段、
前記受信手段が受信した信号の信号対干渉比を受信毎に測定する信号対干渉比測定手段、
前記目標信号対干渉比記憶手段が記憶する目標信号対干渉比を、前記誤り検出手段が誤りを検出しなかったときに前記信号対干渉比測定手段が測定した信号対干渉比に書き換える第１の目標信号対干渉比設定手段、
前記信号対干渉比測定手段が測定した信号対干渉比が、前記目標信号対干渉比記憶手段が記憶する目標信号対干渉比より高い場合は、送信電力を上げる命令を示す送信電力制御コマンドを生成し、前記信号対干渉比測定手段が測定した信号対干渉比が、前記目標信号対干渉比記憶手段が記憶する目標信号対干渉比より低い場合は、送信電力を下げる命令を示す送信電力制御コマンドを生成する送信電力制御コマンド生成手段、
前記送信電力制御コマンド生成手段が生成した前記送信電力制御コマンドを前記送信電力制御対象端末に送信する送信手段、
として動作させるためのプログラム。
【発明の詳細な説明】
【技術分野】
【０００１】
本発明は、送信電力制御対象端末の送信電力を制御する送信電力制御装置、送信電力制御方法及びプログラムに関する。
【背景技術】
【０００２】
従来、無線通信システムでは、変化する電波環境の中で、必要な通信品質を確保できるように、基地局装置が移動局装置の送信電力を制御している。送信電力の制御は、受信信号のブロック誤りを検出し、誤りが検出された場合は、信号対干渉比（ＳＩＲ、Signal to Interference Ratio）の目標値（以下、目標ＳＩＲ）を低くし、ブロック誤りが検出されなかった場合は、目標ＳＩＲを高くすることで行われる。これにより、受信信号の誤り率を確保し、かつ移動局装置の送信電力を抑えている。
【０００３】
以下に、従来の公知の技術による基地局装置による送信電力の制御方法の具体例を説明する。
図４は、従来の公知の技術による基地局装置の構成を示す概略ブロック図である。
図５は、従来の公知の技術による基地局装置の目標ＳＩＲの算出動作を示すフローチャートである。
ステップＳ１０１で、基地局装置９００の目標ＳＩＲ制御部９０６は、ブロック誤り率（ＢＬＥＲ、Block Error Rate）の目標値（目標ＢＬＥＲ）に基づいて、パラメータテーブル記憶部９０７から目標ＳＩＲのステップ増加量及びブロック誤り測定区間長を取得する。ここで、ブロック誤り測定区間長は、ブロック誤りを測定する受信ブロック数を示す。
目標ＳＩＲ制御部９１０は、ブロック誤り測定区間長内において受信信号にブロック誤りが検出されたとき、ステップＳ１０５で、式（１）によって信号対干渉比の目標値を設定する。また、目標ＳＩＲ制御部９１０は、ブロック誤り測定区間長内において受信信号にブロック誤りが検出されなかったとき、ステップＳ１０８で式（２）によって信号対干渉比の目標値を設定する。
【０００４】
【数１】
2010263371.tif 000003
【０００５】
【数２】
2010263371.tif 000004
【０００６】
但し、ＳＩＲｔは、目標ＳＩＲを示し、ＳＩＲｔ′は、前回の目標ＳＩＲを示す。また、δは、所定のステップ増加量を示す。また、ＢＬＥＲｔは、目標ＢＬＥＲを示す。
このように目標ＳＩＲを算出すると、比較器９１２は、目標ＳＩＲと受信信号の信号対干渉比（以下、受信ＳＩＲ）とを比較し、送信部１１３は、電力の増減を支持するＴＰＣ（Transmitting Power Control：送信電力制御）コマンドを移動局装置２００に送出する。
【０００７】
図６は、従来の公知の技術による基地局装置における目標ＳＩＲの変化を示す図である。
図６の縦軸は、ＳＩＲの値を示し、横軸は、時間を示している。図６によると、目標ＳＩＲは、断続的に減少し、ブロック誤りが発生したときにδ増加する。つまり、目標ＳＩＲは、受信ＳＩＲが、ブロック誤りを発生させないために必要とされる信号対干渉比（以下、所要ＳＩＲ）を満たす場合に減少し、受信ＳＩＲが所要ＳＩＲに満たない場合に増加する。これにより、基地局装置９００は、目標ＢＬＥＲを確保できるように移動局装置の送信電力を制御することができる。
【０００８】
また、特許文献１、特許文献２及び特許文献３に、目標ＳＩＲを受信ＳＩＲが満たすように送信電力を制御する電力制御方法が開示されている。
【先行技術文献】
【特許文献】
【０００９】
【特許文献１】特開２００３−１８８８１５号公報
【特許文献２】特開２００５−３０３６７０号公報
【特許文献３】特開２００６−０８６７１６号公報
【発明の概要】
【発明が解決しようとする課題】
【００１０】
しかしながら、上述したような送信電力制御方法では、ブロック誤りが無く、受信ＳＩＲが所要ＳＩＲを上回っていても、受信ＳＩＲが目標ＳＩＲに達していない場合、基地局装置９００は、ＴＰＣ増加コマンドの送信を継続してしまう。受信ＳＩＲが所要ＳＩＲを上回っている場合、移動局装置２００の送信電力は、目標ＢＬＥＲを確保できる最小限の電力を満たしているため、基地局装置９００によるＴＰＣ増加コマンドは必要以上の送信電力の増加を要求していることを示す。
【００１１】
例えば、図６における時刻τでの受信ＳＩＲは、ブロック誤り発生後のＴＰＣ増加コマンドにより電力が増加し、既に所要ＳＩＲを満たした状態にあるが、目標ＳＩＲと受信ＳＩＲとの乖離が存在するために、ＴＰＣ増加コマンドが移動局装置２００へ送信され続けることとなる。そのため、移動局装置２００は、不要な電力増加を行うこととなり、消費電力を浪費し、また他の移動局装置の送信信号への干渉を与えることとなる。
【００１２】
本発明は上記の点に鑑みてなされたものであり、その目的は、信号が目標ＢＬＥＲを確保できる最小限の電力で過不足無く届くように、送信電力制御対象端末の送信電力を制御する送信電力制御装置、送信電力制御方法及びプログラムを提供することにある。
【課題を解決するための手段】
【００１３】
本発明は上記の課題を解決するためになされたものであり、送信電力制御対象端末の送信電力を制御する送信電力制御装置であって、前記送信電力制御対象端末の信号対干渉比の目標値を示す目標信号対干渉比を記憶する記憶手段と、前記送信電力制御対象端末から信号を受信する受信手段と、前記受信手段が受信した信号の誤り検出を受信毎に行う誤り検出手段と、前記受信手段が受信した信号の信号対干渉比を受信毎に測定する信号対干渉比測定手段と、前記目標信号対干渉比記憶手段が記憶する目標信号対干渉比を、前記誤り検出手段が誤りを検出しなかったときに前記信号対干渉比測定手段が測定した信号対干渉比に書き換える第１の目標信号対干渉比設定手段と、前記信号対干渉比測定手段が測定した信号対干渉比が、前記目標信号対干渉比記憶手段が記憶する目標信号対干渉比より高い場合は、送信電力を上げる命令を示す送信電力制御コマンドを生成し、前記信号対干渉比測定手段が測定した信号対干渉比が、前記目標信号対干渉比記憶手段が記憶する目標信号対干渉比より低い場合は、送信電力を下げる命令を示す送信電力制御コマンドを生成する送信電力制御コマンド生成手段と、前記送信電力制御コマンド生成手段が生成した前記送信電力制御コマンドを前記送信電力制御対象端末に送信する送信手段と、を備えることを特徴とする。
【００１４】
また、本発明は、送信電力制御対象端末の信号対干渉比の目標値を示す目標信号対干渉比を記憶する記憶手段を備え、前記送信電力制御対象端末の送信電力を制御する送信電力制御装置を用いた送信電力制御方法であって、受信手段は、前記送信電力制御対象端末から信号を受信し、誤り検出手段は、前記受信手段が受信した信号の誤り検出を受信毎に行い、信号対干渉比測定手段は、前記受信手段が受信した信号の信号対干渉比を受信毎に測定し、第１の目標信号対干渉比設定手段は、前記目標信号対干渉比記憶手段が記憶する目標信号対干渉比を、前記誤り検出手段が誤りを検出しなかったときに前記信号対干渉比測定手段が測定した信号対干渉比に書き換え、送信電力制御コマンド生成手段は、前記信号対干渉比測定手段が測定した信号対干渉比が、前記目標信号対干渉比記憶手段が記憶する目標信号対干渉比より高い場合は、送信電力を上げる命令を示す送信電力制御コマンドを生成し、また、送信電力制御コマンド生成手段は、前記信号対干渉比測定手段が測定した信号対干渉比が、前記目標信号対干渉比記憶手段が記憶する目標信号対干渉比より低い場合は、送信電力を下げる命令を示す送信電力制御コマンドを生成し、送信手段は、前記送信電力制御コマンド生成手段が生成した前記送信電力制御コマンドを前記送信電力制御対象端末に送信する、ことを特徴とする。
【００１５】
また、本発明は、前記送信電力制御対象端末の信号対干渉比の目標値を示す目標信号対干渉比を記憶する記憶手段を備え、送信電力制御対象端末の送信電力を制御する送信電力制御装置を、前記送信電力制御対象端末から信号を受信する受信手段、前記受信手段が受信した信号の誤り検出を受信毎に行う誤り検出手段、前記受信手段が受信した信号の信号対干渉比を受信毎に測定する信号対干渉比測定手段、前記目標信号対干渉比記憶手段が記憶する目標信号対干渉比を、前記誤り検出手段が誤りを検出しなかったときに前記信号対干渉比測定手段が測定した信号対干渉比に書き換える第１の目標信号対干渉比設定手段、前記信号対干渉比測定手段が測定した信号対干渉比が、前記目標信号対干渉比記憶手段が記憶する目標信号対干渉比より高い場合は、送信電力を上げる命令を示す送信電力制御コマンドを生成し、前記信号対干渉比測定手段が測定した信号対干渉比が、前記目標信号対干渉比記憶手段が記憶する目標信号対干渉比より低い場合は、送信電力を下げる命令を示す送信電力制御コマンドを生成する送信電力制御コマンド生成手段、前記送信電力制御コマンド生成手段が生成した前記送信電力制御コマンドを前記送信電力制御対象端末に送信する送信手段、として動作させるためのプログラムである。
【発明の効果】
【００１６】
本発明によれば、第１の目標信号対干渉比設定手段は、目標信号対干渉比記憶手段が記憶する目標信号対干渉比を、誤り検出手段が誤りを検出しなかったときに信号対干渉比測定手段が測定した信号対干渉比に書き換える。そのため、目標信号対干渉比と信号の誤りを発生させないために必要とされる信号対干渉比との差を小さくすることができ、送信手段は、移動局装置（送信電力制御対象端末）に対して必要以上の送信電力の増加を示す送信電力制御コマンドを送信しなくなる。これにより、基地局装置（送信電力制御装置）は、信号が目標ＢＬＥＲを確保できる最小限の電力で過不足無く届くように、移動局装置の送信電力を制御することができる。
【図面の簡単な説明】
【００１７】
【図１】本発明の一実施形態による基地局装置の構成を示す概略ブロック図である。
【図２】基地局装置による目標ＳＩＲの算出動作を示すフローチャートである。
【図３】基地局装置における目標ＳＩＲの変化を示す図である。
【図４】従来の公知の技術による基地局装置の構成を示す概略ブロック図である。
【図５】従来の公知の技術による基地局装置の目標ＳＩＲの算出動作を示すフローチャートである。
【図６】従来の公知の技術による基地局装置における目標ＳＩＲの変化を示す図である。
【発明を実施するための形態】
【００１８】
以下、図面を参照しながら本発明の実施形態について詳しく説明する。
図１は、本発明の一実施形態による基地局装置の構成を示す概略ブロック図である。
基地局装置１００は、受信部１０１（受信手段）、遅延スプレッド計算部１０２、復調部１０３、ＳＩＲ測定部１０４（信号対干渉比測定手段）、誤り訂正復号部１０５、ＣＲＣ検出部１０６、登録部１０７、パラメータテーブル記憶部１０８、受信ブロック数カウンタ格納レジスタ１０９、パラメータ格納レジスタ１１０、第１の目標ＳＩＲ制御部１１１（第２の目標ＳＩＲ設定手段）、遅延スプレッド記憶部１１２、ＳＩＲ測定値記憶部１１３、ＳＩＲ測定区間用受信ブロック数カウンタ格納レジスタ１１４、第２の目標ＳＩＲ増減制御１１５（第１の目標信号対干渉比設定手段）、目標ＳＩＲ記憶部１１６（記憶手段）、比較部１１７（送信電力制御コマンド生成手段）、送信部１１８（送信手段）を備える。
【００１９】
受信部１０１は、移動局装置２００から信号を受信する。
遅延スプレッド計算部１０２は、受信信号に基づいて遅延スプレッドを計算する。ここで、遅延スプレッドとは、電離層や建造物による反射及び屈折によりマルチパスを伝搬した信号の時間方向の広がり程度を示す。
復調部１０３は、受信信号の復調を行う。
ＳＩＲ測定部１０４は、受信信号の信号対干渉比を測定する。
誤り訂正符号部１０５は、復調した受信信号の誤りを訂正する。
ＣＲＣ検出部１０６は、ＣＲＣ（巡回冗長検査）によって受信信号のブロック誤りを検出する。
【００２０】
登録部１０７は、受信ブロック数カウンタ格納レジスタ１０９、パラメータ格納レジスタ１１０、遅延スプレッド記憶部１１２、ＳＩＲ測定値記憶部１１３、ＳＩＲ測定区間用受信ブロック数カウンタ格納レジスタ１１４への情報の登録を行う。
パラメータテーブル記憶部１０８は、目標ＢＬＥＲに対応付けてブロック誤り測定区間長、ステップ増加量、ＳＩＲ測定区間長算出用係数、ＳＩＲ平均化区間長算出表係数を格納するパラメータテーブルを記憶する。ここで、ブロック誤り測定区間長は、ブロック誤りを測定する受信ブロック数を示す。また、ＳＩＲ測定区間長算出用係数及びＳＩＲ平均化区間長算出表係数とは、後述する第２の目標ＳＩＲの算出に用いる係数である。
【００２１】
第１の目標ＳＩＲ制御部１１１は、ステップ増加量及び目標ＢＬＥＲに基づいて第１の目標ＳＩＲを算出する。
第２の目標ＳＩＲ制御部１１５は、ＳＩＲ測定区間長算出用係数及びＳＩＲ平均化区間長算出表係数に基づいて第２の目標ＳＩＲを算出する。
目標ＳＩＲ記憶部１１６は、第１の目標ＳＩＲまたは第２の目標ＳＩＲのうち値が小さいほうを目標ＳＩＲとして記憶する。
比較部１１７は、目標ＳＩＲ記憶部１１６が記憶する目標ＳＩＲと受信ＳＩＲとを比較し、ＴＰＣコマンドを生成する。
送信部１１８は、ＴＰＣコマンドを移動局装置２００に送信する。
【００２２】
そして、本実施形態によれば、基地局装置１００において、受信部１０１は、移動局装置２００から信号を受信し、ＣＲＣ検出部１０６は、受信部１０１が受信した信号の誤り検出を受信毎に行い、ＳＩＲ測定部１０４は、受信手段１０１が受信した信号の受信ＳＩＲを受信毎に測定し、第２の目標ＳＩＲ制御部１１５は、目標ＳＩＲ記憶部１１６が記憶する目標ＳＩＲを、ＣＲＣ検出部１０６が誤りを検出しなかったときにＳＩＲ測定部１０４が測定した受信ＳＩＲに書き換える。
次に、比較部１１７は、ＳＩＲ測定手段１０４が測定した受信ＳＩＲが、目標ＳＩＲ記憶部１１６が記憶する目標ＳＩＲより高い場合は、送信電力を上げる命令を示すＴＰＣコマンドを生成し、また、比較部１１７は、ＳＩＲ測定手段１０４が測定した受信ＳＩＲが、目標ＳＩＲ記憶部１１６が記憶する目標ＳＩＲより低い場合は、送信電力を下げる命令を示すＴＰＣコマンドを生成し、送信部１１８は、比較部１１７が生成したＴＰＣコマンドを移動局装置２００に送信する。
これにより、基地局装置１００は、信号が目標ＢＬＥＲを確保できる最小限の電力で過不足無く届くように、移動局装置２００の送信電力を制御する。
【００２３】
次に、基地局装置１００の動作を説明する。
図２は、基地局装置による目標ＳＩＲの算出動作を示すフローチャートである。
まず、基地局装置１００を起動させると、登録部１０７は、基地局装置１００における所要品質を示す目標ＢＬＥＲに対応したＳＩＲのステップ増加量δ、ブロック誤り測定区間長Ｔ、ＳＩＲ測定区間長算出用係数α、ＳＩＲ平均化区間長算出用係数βをパラメータテーブル記憶部が記憶するパラメータテーブルから取得し、それらをパラメータ格納レジスタ１１０に登録する（ステップＳ１）。
【００２４】
登録部１０７は、パラメータをパラメータ格納レジスタ１１０に登録すると、受信ブロック数カウンタ格納レジスタが記憶する受信ブロック数カウンタをゼロにリセットする（ステップＳ２）。なお、初回起動時は、受信ブロック数カウンタ格納レジスタ１０９、パラメータ格納レジスタ１１０、遅延スプレッド記憶部１１２、ＳＩＲ測定値記憶部１１３、ＳＩＲ測定区間用受信ブロック数カウンタ格納レジスタ１１４が記憶する情報は全てゼロとなっている。
【００２５】
ステップＳ２で、登録部１０７が受信ブロック数カウンタをリセットすると、遅延スプレッド計算部１０２は、受信部１０１が移動局装置２００から受信するプリアンブル信号等の信号から、受信信号の遅延スプレッドを計算する（ステップＳ３）。このとき、登録部１０７は、遅延スプレッド計算部１０２が計算した遅延スプレッドを遅延スプレッド記憶部１１２に登録する。遅延スプレッドは、式（３）によって算出する。
【００２６】
【数３】
2010263371.tif 000005
【００２７】
但し、Ｐｉはｉ番目のパスのパスレベルを示す。また、τｉは、ｉ番目のパスの到来タイミングを示す。また、Ｎはパス数を示す。また、τ￣は、パスの平均到来タイミングを示し、式（４）によって算出する。
【００２８】
【数４】
2010263371.tif 000006
【００２９】
式（３）に示すように、遅延スプレッドはマルチパスによる影響を示すもので、パス数が多い場合は干渉電力によってＳＩＲが高精度に求まらないことが知られている。ここで算出した遅延スプレッドは、後述する所要ＳＩＲを満たしているかの判定において、遅延スプレッドが大きい場合は測定区間を長く設けることで、受信ＳＩＲのサンプル数を多くして判定の確度を高めるために用いる。
【００３０】
ステップＳ３で遅延スプレッド計算部１０２が遅延スプレッドを算出すると、受信部１０１は、移動局装置２００から通信データを格納する転送ブロック（ＴＢ、Transport Block）を受信する（ステップＳ４）。移動局装置２００が転送ブロックを受信すると、復調部１０３が受信した転送ブロックの復調処理を行い、ＳＩＲ測定部１０４は、転送ブロックの受信ＳＩＲを測定する（ステップＳ５）。このとき、登録部１０７は、測定した受信ＳＩＲをＳＩＲ測定値記憶部１１３に追加登録する。
ＳＩＲ測定部１０４が受信ＳＩＲを算出すると、誤り訂正復号部１０５が転送ブロックに対して誤り訂正処理を行い、ＣＲＣ検出部１０６は、転送ブロックに付与されたＣＲＣ符号に基づいて転送ブロックに誤りがあるか否かを判定する（ステップＳ６）。
【００３１】
ＣＲＣ検出部１０６が、転送ブロックに誤りがあると判定した場合（ステップＳ６：ＮＯ）、登録部１０７は、パラメータ格納レジスタ１１０が記憶する誤り発生フラグをＯＮにする（ステップＳ７）。ここで、誤り発生フラグとは、前回の転送ブロックの受信時にＣＲＣ検出部１０６が誤りを検出したか否かを示すフラグであり、ＯＮの場合に誤りを検出したことを示し、ＯＦＦの場合に、誤りを検出しなかったことを示す。
【００３２】
登録部１０７は、ステップＳ７で誤り発生フラグをＯＮにすると、ＳＩＲ測定用受信ブロック数カウンタ格納レジスタ１１４が記憶するＳＩＲ測定用受信ブロック数カウンタをゼロにリセットする（ステップＳ８）。
次に、第１の目標ＳＩＲ制御部１１１は、式（１）によって、第１の目標ＳＩＲを増加させる計算を行い、算出した第１の目標ＳＩＲを目標ＳＩＲ記憶部１１６に登録する（ステップＳ９）。第１の目標ＳＩＲ制御部１１１が目標ＳＩＲを登録すると、比較部１１７は、ＳＩＲ測定部１０４が測定した受信ＳＩＲと目標ＳＩＲ記憶部１１６が記憶する目標ＳＩＲとを比較し、受信ＳＩＲが目標ＳＩＲより高い場合は、送信電力を上げる命令を示すＴＰＣコマンドを生成し、受信ＳＩＲが目標ＳＩＲより低い場合は、送信電力を下げる命令を示すＴＰＣコマンドを生成する。そして、送信部１１８は、比較部１１７が生成したＴＰＣコマンドを移動局装置２００に送信する（ステップＳ１０）。
送信部１１８がＴＰＣコマンドを送信すると、基地局装置は当該受信信号に対する処理を終了し、次の受信信号の処理を開始する。
【００３３】
他方、ステップＳ６で、ＣＲＣ検出部１０６が、転送ブロックに誤りがないと判定した場合（ステップＳ６：ＹＥＳ）、登録部１０７は、受信ブロック数カウンタ格納レジスタ１０９に格納される受信ブロック数カウンタ、及び、ＳＩＲ測定用受信ブロック数カウンタ格納レジスタ１１４に格納されるＳＩＲ測定用受信ブロック数カウンタに受信した転送ブロック数を加算する（ステップＳ１１）。
【００３４】
次に、第１の目標ＳＩＲ制御部１１１は、受信ブロック数カウンタ格納レジスタ１０９に格納される受信ブロック数カウンタの値が、パラメータ格納レジスタ１１０に格納されるブロック誤り測定区間長Ｔ以上であるか否かを判定する（ステップＳ１２）。
第１の目標ＳＩＲ制御部１１１が、受信ブロック数カウンタの値がブロック誤り測定区間長Ｔ未満であると判定した場合（ステップＳ１２：ＮＯ）、ステップＳ３に戻り、遅延スプレッドの検出及び次の転送ブロックの受信を行う。
【００３５】
他方、第１の目標ＳＩＲ制御部１１１は、受信ブロック数カウンタの値がブロック誤り測定区間長Ｔ以上であると判定した場合（ステップＳ１２：ＮＯ）、式（２）によって、第１の目標ＳＩＲを減少させる計算を行い、算出した第１の目標ＳＩＲを目標ＳＩＲ記憶部１１６に登録する（ステップＳ１３）。
第１の目標ＳＩＲ制御部１１１が第１の目標ＳＩＲを算出すると、第２の目標ＳＩＲ制御部１１５は、パラメータ格納レジスタ１１０に格納される誤り発生フラグがＯＮであるか否かを判定する（ステップＳ１４）。
【００３６】
第２の目標ＳＩＲ制御部１１５は、誤り発生フラグがＯＮであると判定した場合（ステップＳ１４：ＹＥＳ）、ＳＩＲ測定区間長ＴＳＩＲ及びＳＩＲ平均化区間長ＴＳＩＲａを算出する（ステップＳ１５）。ここで、ＳＩＲ測定区間長ＴＳＩＲは、受信ＳＩＲを測定する受信ブロック数を示す。また、ＳＩＲ平均化区間長ＴＳＩＲａは、受信ＳＩＲの平均値の算出に用いる受信ブロック数を示す。ＳＩＲ測定区間長ＴＳＩＲは、パラメータ格納レジスタ１１０に格納されるＳＩＲ測定区間長算出用係数αに遅延スプレッド記憶部１１２が記憶する遅延スプレッドσを乗じることで算出される。また、ＳＩＲ平均化区間長ＴＳＩＲａは、算出したＳＩＲ測定区間長ＴＳＩＲにＳＩＲ平均化区間長算出用係数βを乗じることで算出される。
なお、ＳＩＲ平均化区間長算出用係数βは、１≧β＞０の値をとり、ＳＩＲ平均化区間長ＴＳＩＲａは、ＳＩＲ測定区間長ＴＳＩＲ以下の値とする。これは、誤り発生直後の受信ＳＩＲは、所要ＳＩＲを満たさない可能性が高いため、後述する処理により、受信ＳＩＲの平均を算出する際に、母集合に誤り発生直後の受信ＳＩＲを含まないようにするためである。
【００３７】
ステップＳ１４で第２の目標ＳＩＲ制御部１１５が、誤り発生フラグがＯＦＦであると判定した場合（ステップＳ１４：ＮＯ）、または、ステップＳ１５で第２の目標ＳＩＲ制御部１１５が、ＳＩＲ測定区間長ＴＳＩＲ及びＳＩＲ平均化区間長ＴＳＩＲａを算出した場合、第２の目標ＳＩＲ制御部１１５は、ＳＩＲ測定用受信ブロック数カウンタ格納レジスタ１１４が格納するＳＩＲ測定用受信ブロック数カウンタが、ステップＳ１３で算出したＳＩＲ測定区間長ＴＳＩＲ以下であるか否かを判定する（ステップＳ１６）。
【００３８】
第２の目標ＳＩＲ制御部１１５は、ＳＩＲ測定用受信ブロック数カウンタがＳＩＲ測定区間長ＴＳＩＲより大きいと判定した場合（ステップＳ１６：ＮＯ）、パラメータ格納レジスタに格納されるエラー発生フラグがＯＮであるか否かを判定する（ステップＳ１７）。
第２の目標ＳＩＲ制御部１１５が、エラー発生フラグがＯＮであると判定した場合（ステップＳ１７：ＹＥＳ）、ＳＩＲ測定値記憶部が記憶する受信ＳＩＲの中から過去に遡り、ＳＩＲ平均化区間長ＴＳＩＲａにおける受信ＳＩＲの平均値を第２の目標ＳＩＲとして算出する（ステップＳ１８）。第２の目標ＳＩＲ制御部１１５は、第２の目標ＳＩＲを算出すると、パラメータ格納レジスタ１１０が格納する誤り発生フラグをＯＦＦにする（ステップＳ１９）。
【００３９】
ステップＳ１６で第２の目標ＳＩＲ制御部１１５が、エラー発生フラグがＯＦＦであると判定した場合（ステップＳ１７：ＮＯ）、または、ステップＳ１９で第２の目標ＳＩＲ制御部１１５が誤り発生フラグをＯＦＦにした場合、ステップＳ１３で第１の目標ＳＩＲ制御部１１１が算出した第１の目標ＳＩＲ、ステップＳ１８で第２の目標ＳＩＲ制御部１１１が算出した第２の目標ＳＩＲのうち、値が小さいほうを目標ＳＩＲとして目標ＳＩＲ記憶部１１６に登録する（ステップＳ２０）。
【００４０】
ステップＳ１６で第２の目標ＳＩＲ制御部１１５が、ＳＩＲ測定用受信ブロック数カウンタがＳＩＲ測定区間長ＴＳＩＲ以下であると判定した場合（ステップＳ１６：ＹＥＳ）、または、ステップＳ２０で目標ＳＩＲを目標ＳＩＲ記憶部１１６に登録した場合、比較部１１７は、ＳＩＲ測定部１０４が測定した受信ＳＩＲと目標ＳＩＲ記憶部１１６が記憶する目標ＳＩＲとを比較し、受信ＳＩＲが目標ＳＩＲより高い場合は、送信電力を上げる命令を示すＴＰＣコマンドを生成し、受信ＳＩＲが目標ＳＩＲより低い場合は、送信電力を下げる命令を示すＴＰＣコマンドを生成する。そして、送信部１１８は、比較部１１７が生成したＴＰＣコマンドを移動局装置２００に送信する（ステップＳ２１）。
送信部１１８がＴＰＣコマンドを送信すると、基地局装置１１００は、当該受信信号に対する処理を終了し、次の受信信号の処理を開始する。
【００４１】
図３は、基地局装置における目標ＳＩＲの変化を示す図である。
図３によると、誤りの発生後、ＳＩＲ測定区間長の数のブロックを受信する時刻τ′までは、従来の目標ＳＩＲ算出アルゴリズム（第１の目標ＳＩＲ）を用いてＴＰＣコマンドの生成を行うが、時刻τ′にて第２の目標ＳＩＲを算出し、以降は、第２の目標ＳＩＲを用いてＴＰＣコマンドの生成を行う。第２の目標ＳＩＲを目標ＳＩＲに設定することで、目標ＳＩＲが減少し、従来の手法で時刻τまで順次送信されていたＴＰＣ増加コマンドが抑制される。そのため、移動局装置２００の送信電力を過度に上昇させない。また、時刻τ″で、第２の目標ＳＩＲが第１の目標ＳＩＲを上回るため、それ以降、第１の目標ＳＩＲを目標ＳＩＲとして設定している。これにより、基地局装置１００におけるブロック誤り率を目標ＢＬＥＲに近づけることができる。
【００４２】
このように、本実施形態によれば、第２の目標ＳＩＲ制御部１１５は、目標ＳＩＲ記憶部１１６が記憶する目標ＳＩＲを、ＣＲＣ検出部１０６が誤りを検出しなかったときにＳＩＲ測定部１０４が測定した受信ＳＩＲに書き換える。そのため、目標ＳＩＲと所要ＳＩＲとの差を小さくすることができ、送信部１１８は、移動局装置２００に対して必要以上の送信電力の増加を示すＴＰＣコマンドを送信しなくなる。これにより、基地局装置１００は、信号が目標ＢＬＥＲを確保できる最小限の電力で過不足無く届くように、移動局装置２００の送信電力を制御することができる。
【００４３】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、本実施形態では、ＣＲＣ検出部１０６が転送ブロックのＣＲＣ符号に基づいてブロック誤りの検出を行う場合を説明したが、これに限られず、他の誤り検出符号を用いてブロック誤りを検出しても良い。
【００４４】
上述の基地局装置１００は内部に、コンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４５】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４６】
１００…基地局装置  １０１…受信部  １０２…遅延スプレッド計算部  １０３…復調部  １０４…ＳＩＲ測定部  １０５…誤り訂正復号部  １０６…ＣＲＣ検出部  １０７…登録部  １０８…パラメータテーブル記憶部  １０９…受信ブロック数カウンタ格納レジスタ  １１０…パラメータ格納レジスタ  １１１…第１の目標ＳＩＲ制御部  １１２…遅延スプレッド記憶部  １１３…ＳＩＲ測定値記憶部  １１４…ＳＩＲ測定用受信ブロック数カウンタ格納レジスタ  １１５…第２の目標ＳＩＲ制御部  １１６…目標ＳＩＲ記憶部  １１７…比較部  １１８…送信部  ２００…移動局装置
【図１】
2010263371.tif 000007
【図２】
2010263371.tif 000008
【図３】
2010263371.tif 000009
【図４】
2010263371.tif 000010
【図５】
2010263371.tif 000011
【図６】
2010263371.tif 000012